(57)【特許請求の範囲】
【請求項１】
建設機械の走行体を構成するサイドフレームをロープによって吊上げるために用いられ、前記サイドフレームの幅方向に延び該サイドフレームに当接するシャフト部と、吊上げ用のロープに連結されるシャックルを前記サイドフレームを幅方向から挟んだ状態で前記シャフト部に取付けるため、前記シャフト部の両端側に設けられたシャックル取付部とにより構成してなるサイドフレーム用吊り治具において、
前記サイドフレームは、幅方向で隙間をもって互いに対面しつつ長さ方向に延びる２枚の下板と、これら各下板に固着され幅方向で互いに対面しつつ長さ方向に延びる２枚の側板と、これら各側板に固着され前記各下板と対面しつつ長さ方向に延びる上板とにより構成し、
前記シャフト部は前記サイドフレームの幅方向に延びる棒状体により構成し、当該棒状体からなる前記シャフト部には、前記サイドフレームの各下板に当接するフレーム当接面と、このフレーム当接面から上方に突出し前記各下板間の隙間に嵌り込む突起部とを設ける構成としたことを特徴とするサイドフレーム用吊り治具。
【請求項２】
前記シャフト部には、前記サイドフレームの各下板に当接したときに前記シャックル取付部に取付けられたシャックルを垂直方向に対して傾斜させる傾斜面を設ける構成としてなる請求項１に記載のサイドフレーム用吊り治具。
【請求項３】
建設機械の走行体を構成するサイドフレームをロープによって吊上げるために用いられ、前記サイドフレームの幅方向に延び該サイドフレームに当接するシャフト部と、吊上げ用のロープに連結されるシャックルを前記サイドフレームを幅方向から挟んだ状態で前記シャフト部に取付けるため、前記シャフト部の両端側に設けられたシャックル取付部とにより構成してなるサイドフレーム用吊り治具において、
前記サイドフレームは、幅方向で隙間をもって互いに対面しつつ長さ方向に延びる２枚の下板と、これら各下板に固着され幅方向で互いに対面しつつ長さ方向に延びる２枚の側板と、これら各側板に固着され前記各下板と対面しつつ長さ方向に延びる上板とにより構成し、
前記シャフト部は前記サイドフレームの幅方向に延びる棒状体により構成し、当該棒状体からなる前記シャフト部には、前記サイドフレームの各下板に当接したときに前記シャックル取付部に取付けられたシャックルを垂直方向に対して傾斜させる傾斜面を設ける構成としたことを特徴とするサイドフレーム用吊り治具。
【請求項４】
前記シャックルは、前記ロープが連結される逆Ｕ字型のロープ連結部と、このロープ連結部の両端側に設けられ前記シャックル取付部を挟み込んだ状態で該シャックル取付部にボルト締めされる２個のボス部とにより構成し、
前記シャックル取付部は、前記シャフト部の両端側を切欠くことにより該シャフト部よりも狭幅に構成し、前記シャフト部とシャックル取付部との間には前記シャックルの各ボス部を収容する切欠部を形成してなる請求項１，２または３に記載のサイドフレーム用吊り治具。
【請求項５】
建設機械の走行体を構成するサイドフレームをロープによって吊上げるために用いられ、前記サイドフレームの幅方向に延び該サイドフレームに当接するシャフト部と、吊上げ用のロープに連結されるシャックルを前記サイドフレームを幅方向から挟んだ状態で前記シャフト部に取付けるため、前記シャフト部の両端側に設けられたシャックル取付部とにより構成してなるサイドフレーム用吊り治具において、
前記シャックルは、前記ロープが連結される逆Ｕ字型のロープ連結部と、このロープ連結部の両端側に設けられ前記シャックル取付部を挟み込んだ状態で該シャックル取付部にボルト締めされる２個のボス部とにより構成し、
前記シャックル取付部は、前記シャフト部の両端側を切欠くことにより該シャフト部よりも狭幅に構成し、前記シャフト部とシャックル取付部との間には前記シャックルの各ボス部を収容する切欠部を形成したことを特徴とするサイドフレーム用吊り治具。
【請求項６】
前記各シャックル取付部の間隔は、前記サイドフレームに巻装される履帯の幅寸法よりも大きく設定する構成としてなる請求項１，２，３，４または５に記載のサイドフレーム用吊り治具。
【請求項７】
前記シャックル取付部には、前記シャックルを取付けるためのボルトが挿通されるボルト挿通穴を設ける構成としてなる請求項１，２，３，４，５または６に記載のサイドフレーム用吊り治具。
【発明の詳細な説明】
【０００１】
【発明の属する技術分野】
本発明は、例えば建設機械の走行体を構成するサイドフレームをワイヤロープ等を用いて吊上げるときに好適に用いられるサイドフレーム用吊り治具に関する。
【０００２】
【従来の技術】
一般に、油圧クレーン、油圧ショベル等の建設機械は、クローラ式の下部走行体と、下部走行体上に旋回可能に搭載された上部旋回体と、上部旋回体の前部側に設けられ、吊荷作業、掘削作業等を行う作業装置とにより大略構成されている。
【０００３】
ここで、この種の建設機械は、通常、下部走行体、上部旋回体、作業装置に分割した状態で、これらをトレーラに積載して個別に作業現場等に輸送するようになっている。そして、下部走行体は、センタフレームと、センタフレームの左，右両側に着脱可能に取付けられ履帯が巻装される左，右のサイドフレームとにより構成され、これらセンタフレーム、各サイドフレームを分割した状態で個別に作業現場等に輸送できるようになっている。
【０００４】
そこで、建設機械を作業現場に輸送する場合等において、下部走行体を構成するセンタフレームからサイドフレームを取外すときの作業について、図７ないし図１０を参照しつつ説明する。
【０００５】
図中、１はクローラ式の下部走行体、２は下部走行体１上に旋回装置３を介して旋回可能に搭載された上部旋回体で、この上部旋回体２の前部側には、吊荷作業、掘削作業等を行うための作業装置（図示せず）が取付けられる構成となっている。
【０００６】
そして、下部走行体１は、左，右方向の中央部に位置するセンタフレーム４と、センタフレーム４の左，右両側に設けられ前，後方向に延びた左，右のサイドフレーム５，５とにより大略構成されている。
【０００７】
ここで、センタフレーム４は、全体としてほぼＨ型の構造体として形成され、その中央部には旋回装置３が取付けられるものである。また、センタフレーム４の前側と後側には、左，右の前側脚部４Ａ，４Ａと後側脚部４Ｂ，４Ｂとが突設され（合計４本）、これら各脚部４Ａ，４Ｂの先端側にはサイドフレーム５が着脱可能に取付けられる構成となっている。
【０００８】
一方、サイドフレーム５は、図７及び図９に示すように、幅方向（左，右方向）で互いに対面しつつ長さ方向（前，後方向）に延びる２枚の下板５Ａ，５Ａと、これら各下板５Ａに固着され幅方向で互いに対面しつつ長さ方向に延びる２枚の側板５Ｂ，５Ｂと、これら各側板５Ｂに固着され各下板５Ａと対面しつつ長さ方向に延びる１枚の上板５Ｃとにより構成され、各下板５Ａ間には、後述する下ローラ１２を配設するための隙間６が形成されている。
【０００９】
そして、サイドフレーム５には、各側板５Ｂを貫通して幅方向に延びる前，後の角穴５Ｄ，５Ｅが設けられ、これら角穴５Ｄ，５Ｅ内にセンタフレーム４の各脚部４Ａ，４Ｂが挿通される構成となっている。
【００１０】
また、サイドフレーム５の前端側には遊動輪７が回転可能に設けられ、後端側には駆動輪８が回転可能に設けられ、これら遊動輪７と駆動輪８とには履帯９が巻回して設けられている。
【００１１】
また、サイドフレーム５の上板５Ｃには、履帯９を案内するための３個の上ローラ１０，１０，…と２個ガイド板１１，１１とが、前，後方向に交互に並んで配設され、サイドフレーム５の各下板５Ａ間には、履帯９を案内するための複数の下ローラ１２，１２，…が前，後方向に並んで配設されている。
【００１２】
１３，１３，…はセンタフレーム４に取付けられたジャッキアップシリンダで、これらジャッキアップシリンダ１３は、センタフレーム４の前，後、左，右の４箇所に配置され、建設機械全体を地面からジャッキアップするものである。
【００１３】
従来技術による建設機械は上述の如き構成を有するもので、次に、この建設機械の下部走行体１を構成するサイドフレーム５を、センタフレーム４から取外すときの作業について説明する。
【００１４】
まず、図７ないし図９に示すように、各ジャッキアップシリンダ１３を用いて建設機械全体を地面から持上げた状態で、履帯９が巻装されたサイドフレーム５の前側と後側とに、それぞれワイヤロープ１４，１４を掛回す作業（玉掛け作業）を行う。
【００１５】
次に、建設機械の近傍に配置した油圧クレーン（図示せず）から吊荷フック１５を垂下させ、この吊荷フック１５に、サイドフレーム５に掛回した各ワイヤロープ１４の両端部を掛止めする。
【００１６】
そして、ワイヤロープ１４によってサイドフレーム５を吊上げた状態で、このサイドフレーム５を左，右方向に移動させ、サイドフレーム５の角穴５Ｄ，５Ｅをセンタフレーム４の各脚部４Ａ，４Ｂから離脱させることにより、履帯９を巻装したままサイドフレーム５をセンタフレーム４から取外すことができる。
【００１７】
【発明が解決しようとする課題】
ところで、サイドフレーム５に掛回したワイヤロープ１４を吊荷フック１５によって上方に引上げたときには、図９に示すように、ワイヤロープ１４は、サイドフレーム５を構成する各下板５Ａの端縁部と、履帯９の左，右の端縁部との合計４箇所に接触し、この接触部を支点として屈曲するようになる。
【００１８】
このため、ワイヤロープ１４をサイドフレーム５に掛回す玉掛け作業時には、ワイヤロープ１４を保護するため、サイドフレーム５の下板５Ａ端縁部とワイヤロープ１４との間、履帯９の左，右の端縁部とワイヤロープ１４との間に、布切れ等の保護材（図示せず）を挟込む煩雑な補助作業が必要となり、この玉掛け作業時の作業性が低下してしまうという問題がある。
【００１９】
また、上述の保護材は、ワイヤロープ１４がサイドフレーム５の下板５Ａ、履帯９に直接的に接触するのを抑えることはできるものの、ワイヤロープ１４がサイドフレーム５の下板５Ａ、履帯９によって屈曲するのを抑えることはできないため、該ワイヤロープ１４が早期に損傷してしまうという問題がある。
【００２０】
これに対し、例えば図１０に示すように、サイドフレーム５の左，右の下板５Ａと側板５Ｂとに板状の吊環１６，１６を溶接等によって固着し、これら各吊環１６に、ワイヤロープ１４を連結した吊金具１７をボルト１８によって取付ける方法が知られおり、この方法を採用した場合には、ワイヤロープ１４がサイドフレーム５の下板５Ａに接触することがない。
【００２１】
しかし、吊環１６は、下部走行体１の左，右方向の幅（車幅）を増大させないように、履帯９の左，右の端縁部よりも内側に引っ込んだ位置でサイドフレーム５に固着する必要がある。このため、ワイヤロープ１４を上方に引上げると、このワイヤロープ１４は履帯９の左，右の端縁部に接触し、この接触部を支点として屈曲してしまう。
【００２２】
従って、サイドフレーム５に吊環１６を設けた場合でも、ワイヤロープ１４の玉掛け作業時には、履帯９の左，右の端縁部とワイヤロープ１４との間に保護材を挟込む補助作業が必要であり、また、ワイヤロープ１４が履帯９の端縁部によって屈曲することにより早期に損傷してしまうという問題がある。
【００２３】
本発明は上述した従来技術の問題に鑑みなされたもので、走行体を構成するサイドフレームをロープを用いて吊上げる場合に、このロープをサイドフレームに掛回すときの作業性を高めることができ、かつ、ロープの損傷を抑えることができるようにしたサイドフレーム用吊り治具を提供することを目的としている。
【００２４】
【発明が解決しようとする課題】
上述した課題を解決するため、請求項１の発明は、建設機械の走行体を構成するサイドフレームをロープによって吊上げるために用いられ、前記サイドフレームの幅方向に延び該サイドフレームに当接するシャフト部と、吊上げ用のロープに連結されるシャックルを前記サイドフレームを幅方向から挟んだ状態で前記シャフト部に取付けるため、前記シャフト部の両端側に設けられたシャックル取付部とにより構成してなるサイドフレーム用吊り治具において、前記サイドフレームは、幅方向で隙間をもって互いに対面しつつ長さ方向に延びる２枚の下板と、これら各下板に固着され幅方向で互いに対面しつつ長さ方向に延びる２枚の側板と、これら各側板に固着され前記各下板と対面しつつ長さ方向に延びる上板とにより構成し、前記シャフト部は前記サイドフレームの幅方向に延びる棒状体により構成し、当該棒状体からなる前記シャフト部には、前記サイドフレームの各下板に当接するフレーム当接面と、このフレーム当接面から上方に突出し前記各下板間の隙間に嵌り込む突起部とを設ける構成としたことにある。
【００２５】
このように構成したことにより、シャフト部をサイドフレームに当接させ、シャフト部の両端側に設けたシャックル取付部に、吊上げ用のロープが連結されたシャックルを取付けるだけで、サイドフレームにロープを掛回す玉掛け作業を効率良く行うことができる。
しかも、シャフト部のフレーム当接面をサイドフレームの各下板に当接させたときに、このフレーム当接面から突出する突起部が、サイドフレームの各下板間の隙間に嵌り込む。このため、サイドフレームを吊上げたときに、シャフト部がサイドフレームの幅方向に位置ずれするのを突起部によって抑えることができ、サイドフレームを安定した状態で吊上げることができる。
【００２６】
請求項２の発明は、シャフト部には、サイドフレームの各下板に当接したときに前記シャックル取付部に取付けられたシャックルを垂直方向に対して傾斜させる傾斜面を設ける構成としたことにある。
【００２７】
このように構成したことにより、例えばサイドフレームの長さ方向の両端側に吊り治具を配置し、この吊り治具のシャックル取付部に取付けたシャックルに連結したロープを、サイドフレームの長さ方向の中間部に配置した吊荷フックによって上方に吊上げる場合に、シャックルを、ロープの傾きに合わせて予め傾斜させておくことができ、シャックルに連結したロープを吊荷フックに容易に取付けることができる。
【００２８】
請求項３の発明は、建設機械の走行体を構成するサイドフレームをロープによって吊上げるために用いられ、前記サイドフレームの幅方向に延び該サイドフレームに当接するシャフト部と、吊上げ用のロープに連結されるシャックルを前記サイドフレームを幅方向から挟んだ状態で前記シャフト部に取付けるため、前記シャフト部の両端側に設けられたシャックル取付部とにより構成してなるサイドフレーム用吊り治具において、サイドフレームは、幅方向で隙間をもって互いに対面しつつ長さ方向に延びる２枚の下板と、これら各下板に固着され幅方向で互いに対面しつつ長さ方向に延びる２枚の側板と、これら各側板に固着され各下板と対面しつつ長さ方向に延びる上板とにより構成し、シャフト部はサイドフレームの幅方向に延びる棒状体により構成し、当該棒状体からなるシャフト部には、サイドフレームの各下板に当接したときに前記シャックル取付部に取付けられたシャックルを垂直方向に対して傾斜させる傾斜面を設ける構成としたことにある。
【００２９】
このように構成したことにより、例えばサイドフレームの長さ方向の両端側に吊り治具を配置し、この吊り治具のシャックル取付部に取付けたシャックルに連結したロープを、サイドフレームの長さ方向の中間部に配置した吊荷フックによって上方に吊上げる場合に、シャックルを、ロープの傾きに合わせて予め傾斜させておくことができ、シャックルに連結したロープを吊荷フックに容易に取付けることができる。
【００３０】
請求項４の発明は、前記シャックルは、前記ロープが連結される逆Ｕ字型のロープ連結部と、このロープ連結部の両端側に設けられ前記シャックル取付部を挟み込んだ状態で該シャックル取付部にボルト締めされる２個のボス部とにより構成し、前記シャックル取付部は、前記シャフト部の両端側を切欠くことにより該シャフト部よりも狭幅に構成し、前記シャフト部とシャックル取付部との間には前記シャックルの各ボス部を収容する切欠部を形成したことにある。
【００３１】
このように構成したことにより、シャックル取付部にボルトを用いてシャックルの各ボス部を取付けたときに、これらボス部をシャフト部とシャックル取付部との間に形成された切欠部にコンパクトに収容することができる。
【００３２】
請求項５の発明は、建設機械の走行体を構成するサイドフレームをロープによって吊上げるために用いられ、前記サイドフレームの幅方向に延び該サイドフレームに当接するシャフト部と、吊上げ用のロープに連結されるシャックルを前記サイドフレームを幅方向から挟んだ状態で前記シャフト部に取付けるため、前記シャフト部の両端側に設けられたシャックル取付部とにより構成してなるサイドフレーム用吊り治具において、前記シャックルは、前記ロープが連結される逆Ｕ字型のロープ連結部と、このロープ連結部の両端側に設けられ前記シャックル取付部を挟み込んだ状態で該シャックル取付部にボルト締めされる２個のボス部とにより構成し、前記シャックル取付部は、前記シャフト部の両端側を切欠くことにより該シャフト部よりも狭幅に構成し、前記シャフト部とシャックル取付部との間には前記シャックルの各ボス部を収容する切欠部を形成したことにある。
【００３３】
このように構成したことにより、シャックル取付部にボルトを用いてシャックルの各ボス部を取付けたときに、これらボス部をシャフト部とシャックル取付部との間に形成された切欠部にコンパクトに収容することができる。
【００３４】
請求項６の発明は、前記各シャックル取付部の間隔は、前記サイドフレームに巻装される履帯の幅寸法よりも大きく設定する構成としたことにある。
【００３５】
このように構成したことにより、シャックルに連結された吊上げ用のロープが、サイドフレームに巻装された履帯の幅方向の端縁部に接触するのを抑えることができ、このロープの損傷を防止することができる。
請求項７の発明は、前記シャックル取付部には、前記シャックルを取付けるためのボルトが挿通されるボルト挿通穴を設ける構成としたことにある。
このように構成したことにより、吊上げ用のロープを連結したシャックルを、ボルトを用いてシャックル取付部に容易に着脱することができる。
【００３６】
【発明の実施の形態】
以下、本発明に係るサイドフレーム用吊り治具の実施の形態を、図１ないし図６を参照しつつ詳細に説明する。なお、本実施の形態では、上述した従来技術と同一の構成要素に同一符号を付し、その説明を省略するものとする。
【００３７】
図中、２１は本実施の形態によるサイドフレーム用吊り治具で、この吊り治具２１は、後述のシャフト部２２、各シャックル取付部２４等により構成され、建設機械の下部走行体１を構成するサイドフレーム５をワイヤロープ１４によって吊上げるときに用いられるものである。
【００３８】
２２は吊り治具２１を構成するシャフト部で、このシャフト部２２は、図１及び図２に示すように、例えばほぼ四角形の断面形状をもった中実な棒状体により構成され、サイドフレーム５の幅方向に延びている。そして、シャフト部２２の上面には、図４及び図５に示すように、サイドフレーム５を構成する各下板５Ａの下面に当接するフレーム当接面２２Ａが設けられている。
【００３９】
ここで、フレーム当接面２２Ａは、サイドフレーム５の各下板５Ａ下面に当接したときに、図４に示す如くシャックル取付部２４に取付けられた後述のシャックル２６を垂直方向に対して斜め上向きに傾斜させる傾斜面として形成されている。
【００４０】
２３はシャフト部２２の長さ方向中間部に設けられた突起部で、この突起部２３は、例えばシャフト部２２と一体形成され、フレーム当接面２２Ａから上方に向けて突出している。そして、突起部２３は、図５に示すように、シャフト部２２のフレーム当接面２２Ａをサイドフレーム５の左，右の下板５Ａに当接させたときに、これら各下板５Ａ間に形成された隙間６に嵌り込むものである。これにより、突起部２３が左，右の下板５Ａに引っ掛かり、シャフト部２２がサイドフレーム５の幅方向に位置ずれするのを抑えることができる構成となっている。
【００４１】
２４，２４はシャフト部２２の左，右両端側に設けられたシャックル取付部で、これら各シャックル取付部２４は、シャフト部２２の両端側を切欠くことにより、該シャフト部２２よりも狭幅な板状に形成されている。そして、各シャックル取付部２４は、吊上げ用のワイヤロープ１４に連結される後述のシャックル２６を、サイドフレーム５を幅方向から挟んだ状態でシャフト部２２に取付けるものである。
【００４２】
２４Ａ，２４Ａは各シャックル取付部２４の中央部に穿設されたボルト挿通穴で、これら各ボルト挿通穴２４Ａは、シャックル２６を取付けるための後述のボルト２７が挿通されるものである。
【００４３】
ここで、図５に示すように、左，右のシャックル取付部２４，２４のうち、ボルト２７が挿通された中央部の間隔Ａは、サイドフレーム５に巻装された履帯９の左，右方向の幅寸法ａよりも大きく（Ａ＞ａ）設定されている。これにより、各シャックル取付部２４にボルト２７を用いてシャックル２６を取付けたときに、このシャックル２６に連結されたワイヤロープ１４が履帯９の左，右の端縁部に接触するのを確実に防止できる構成となっている。
【００４４】
また、シャックル取付部２４はシャフト部２２よりも狭幅な板状に形成されているため、シャフト部２２と各シャックル取付部２４との間には、後述するシャックル２６の各ボス部２６Ｂを収容する切欠部２５，２５が、シャックル取付部２４を挟んで形成されている。
【００４５】
２６，２６はシャフト部２２の両端側に設けられた各シャックル取付部２４に着脱可能に取付けられ、サイドフレーム５を幅方向から挟むように配置される左，右のシャックルで、これら各シャックル２６は、吊上げ用のワイヤロープ１４を吊り治具２１に取付けるものである。ここで、シャックル２６は、図１に示すように、逆Ｕ字型に屈曲したロープ連結部２６Ａと、このロープ連結部２６Ａの両端部に設けられ、シャックル取付部２４を挟み込んだ状態で該シャックル取付部２４にボルト締めされる２個のボス部２６Ｂ，２６Ｂとにより構成され、一方のボス部２６Ｂにはボルト挿通穴２６Ｃが穿設され、他方のボス部２６Ｂには雌ねじ穴２６Ｄが螺設されている。
【００４６】
そして、シャックル２６は、ロープ連結部２６Ａにワイヤロープ１４の端部を連結した状態で、ボルト挿通穴２６Ｃに挿通したボルト２７を、シャックル取付部２４のボルト挿通穴２４Ａを通じて雌ねじ穴２６Ｄに螺入し、この雌ねじ穴２６Ｄから突出したボルト２７にロックナット２８を螺着することにより、シャックル取付部２４に着脱可能に取付けられる構成となっている。
【００４７】
また、ボルト２７を用いてシャックル２６をシャックル取付部２４に取付けたときに、シャックル２６の各ボス部２６Ｂは、シャフト部２２とシャックル取付部２４との間に形成された切欠部２５内にコンパクトに収容される構成となっている。
【００４８】
本実施の形態によるサイドフレーム用吊り治具２１は上述の如き構成を有するもので、以下、２本の吊り治具２１，２１と２本のワイヤロープ１４，１４とを用いて、履帯９が巻装されたサイドフレーム５を吊上げる作業について図３ないし図５を参照しつつ説明する。
【００４９】
まず、サイドフレーム５の前部側に配置した吊り治具２１のシャフト部２２を、サイドフレーム５の下板５Ａと履帯９との間を通じてサイドフレーム５の幅方向へと挿入する。そして、図５に示すように、シャフト部２２のフレーム当接面２２Ａを、サイドフレーム５の左，右の下板５Ａに当接させると共に、シャフト部２２の突起部２３を、サイドフレーム５の各下板５Ａ間に形成された隙間６に嵌め込む。
【００５０】
これにより、シャフト部２２が突起部２３によってサイドフレーム５の幅方向に位置決めされ、この状態で、シャフト部２２の両端側に位置する各シャックル取付部２４が、履帯９の左，右両側に突出する。
【００５１】
次に、ワイヤロープ１４の両端部にシャックル２６，２６を連結し、これら各シャックル２６のボルト挿通穴２６Ｃに挿通したボルト２７を、シャックル取付部２４のボルト挿通穴２４Ａを通じてシャックル２６の雌ねじ穴２６Ｄに螺入し、この雌ねじ穴２６Ｄから突出したボルト２７にロックナット２８を螺着する。
【００５２】
このようにして、吊り治具２１を利用してサイドフレーム５の前部側にワイヤロープ１４を容易に掛回すことができ、このサイドフレーム５に対するワイヤロープ１４の玉掛け作業を効率よく行うことができる。
【００５３】
そして、各シャックル２６を介して吊り治具２１の両端側に取付けられたワイヤロープ１４の長さ方向中間部を、図３に示すように、サイドフレーム５の前，後方向の中間部に配置した吊荷フック１５に引っ掛けることにより、サイドフレーム５の前部側を、その幅方向から挟む２箇所でワイヤロープ１４によって吊上げることができる。
【００５４】
一方、サイドフレーム５の後部側についても、上述したと同様に、下板５Ａと履帯９との間を通じて吊り治具２１を幅方向に挿入し、ワイヤロープ１４の両端部に取付けたシャックル２６を吊り治具２１の各シャックル取付部に取付けた後、このワイヤロープ１４の長さ方向中間部を吊荷フック１５に引っ掛ける。これにより、サイドフレーム５の後部側を、その幅方向から挟む２箇所でワイヤロープ１４によって吊上げることができる。
【００５５】
かくして、図３に示すように、２本の吊り治具２１，２１と２本のワイヤロープ１４，１４とを用いて、履帯９が巻装されたままのサイドフレーム５を、ほぼ水平な姿勢で安定して吊上げることができる。
【００５６】
この場合、図５に示すように、吊り治具２１の各シャックル取付部２４の間隔Ａは、サイドフレーム５に巻装された履帯９の左，右方向の幅寸法ａよりも大きく設定されているので、シャックル２６に連結されたワイヤロープ１４が、履帯９の左，右の端縁部に接触するのを確実に防止することができる。
【００５７】
これにより、ワイヤロープ１４が履帯９の端縁部を支点として屈曲してしまうのを抑え、ワイヤロープ１４の損傷を防止することができる。また、ワイヤロープ１４をサイドフレーム５に掛回す玉掛け作業時に、履帯９の左，右の端縁部とワイヤロープ１４との間に保護材を挟込む煩雑な補助作業を不要にでき、この玉掛け作業時の作業性を向上することができる。
【００５８】
また、吊り治具２１のシャフト部２２に、フレーム当接面２２Ａから上方に突出する突起部２３を設けたので、フレーム当接面２２Ａをサイドフレーム５の左，右の下板５Ａに当接させたときに、これら各下板５Ａ間に形成された隙間６に突起部２３が嵌り込むことにより、シャフト部２２がサイドフレーム５の幅方向に位置ずれするのを確実に抑えることができ、サイドフレーム５を安定して吊上げることができる。
【００５９】
また、シャフト部２２のフレーム当接面２２Ａを傾斜面として形成したので、図４に示すように、シャフト部２２のフレーム当接面２２Ａをサイドフレーム５の各下板５Ａに当接させた状態で、シャックル取付部２４に取付けられたシャックル２６を垂直方向に対して斜め上向きに傾斜させることができる。
【００６０】
このため、図３に示すように、サイドフレーム５の前部側と後部側とにそれぞれ吊り治具２１を配置し、これら各吊り治具２１に取付けたシャックル２６に連結したワイヤロープ１４を、サイドフレーム５の長さ方向の中間部に配置した吊荷フック１５によって上方に吊上げる場合に、各吊り治具２１に取付けられたシャックル２６をワイヤロープ１４の傾きに合わせて予め傾斜させておくことができる。これにより、ワイヤロープ１４を吊荷フック１５に引っ掛けるときの作業性を向上することができる。
【００６１】
さらに、シャックル取付部２４をシャフト部２２よりも狭幅な板状に形成することにより、シャフト部２２とシャックル取付部２４との間に該シャックル取付部を挟む切欠部２５，２５を形成し、これら各切欠部２５に、シャックル取付部２４に取付けたシャックル２６の各ボス部２６Ｂを収容する構成としたので、例えばサイドフレーム５の吊上げ作業が終了した後、吊り治具２１とシャックル２６とをコンパクトにまとめた状態で持ち運ぶことができる。
【００６２】
なお、上述した実施の形態では、ほぼ断面四角形状の棒状体（角柱体）により構成したシャフト部２２を有する吊り治具２１を例に挙げている。しかし、本発明はこれに限るものではなく、例えば図６に示す変形例の如き丸棒状の吊り治具３１を用いてもよい。この場合には、丸棒材からなるシャフト部３２に、傾斜面となったフレーム当接面３２Ａと、このフレーム当接面３２Ａから突出した突起部３３とを設けると共に、シャフト部３２の両端側にボルト挿通穴３４Ａを有するシャックル取付部３４，３４を設け、各シャックル取付部３４とシャフト部３２との間には切欠部３５が形成される。
【００６３】
また、上述した実施の形態では、吊り治具２１を構成するシャフト部２２に、フレーム当接面２２Ａから突出する突起部２３を一体形成した場合を例に挙げたが、本発明はこれに限らず、例えばシャフト部２２のフレーム当接面２２Ａに、別部材からなる板体等を固着して設ける構成としてもよい。
【００６４】
さらに、上述した実施の形態では、吊り治具２１のシャフト部２２を中実な棒状体により構成したが、例えば中空のパイプ材等を用いてシャフト部を構成してもよい。
【００６５】
【発明の効果】
以上詳述した通り、請求項１の発明によれば、建設機械の走行体を構成するサイドフレームを吊上げるための吊り治具を、サイドフレームの幅方向に延び該サイドフレームに当接するシャフト部と、サイドフレームを幅方向から挟んでシャフト部の両端側に設けられたシャックル取付部とにより構成したので、シャフト部をサイドフレームに当接させた状態で、吊上げ用のロープが連結されたシャックルをシャックル取付部に取付けることにより、サイドフレームにロープを掛回す玉掛け作業を効率良く行うことができる。
しかも、サイドフレームの幅方向に延びる棒状体からなるシャフト部に、サイドフレームの各下板に当接するフレーム当接面と、このフレーム当接面から上方に突出する突起部とを設ける構成としたので、シャフト部のフレーム当接面をサイドフレームの各下板に当接させたときに、突起部がサイドフレームの各下板間の隙間に嵌り込むことにより、シャフト部がサイドフレームの幅方向に位置ずれするのを確実に抑えることができ、サイドフレームを安定した状態で吊上げることができる。
【００６６】
また、請求項２の発明によれば、サイドフレームの幅方向に延びる棒状体からなるシャフト部に、サイドフレームの各下板に当接したときにシャックル取付部に取付けられたシャックルを垂直方向に対して傾斜させる傾斜面を設けたので、例えばサイドフレームの長さ方向の両端側に吊り治具を配置し、この吊り治具のシャックル取付部に取付けたシャックルに連結したロープを、サイドフレームの長さ方向の中間部に配置した吊荷フックによって上方に吊上げる場合に、シャックルを、ロープの傾きに合わせて予め傾斜させておくことができ、シャックルに連結したロープを吊荷フックに容易に取付けることができる。
【００６７】
また、請求項３の発明によれば、請求項２の発明と同様な効果を得ることができる。
【００６８】
また、請求項４の発明によれば、シャックル取付部を、シャフト部の両端側を切欠くことにより該シャフト部よりも狭幅に構成し、シャフト部とシャックル取付部との間には、シャックルの各ボス部を収容する切欠部を形成したので、シャックル取付部にボルトを用いてシャックルの各ボス部を取付けたときに、これらボス部をシャフト部とシャックル取付部との間に形成された切欠部にコンパクトに収容することができ、シャックルが取付けられた吊り治具を容易に持ち運ぶことができる。
【００６９】
また、請求項５の発明によれば、請求項４の発明と同様な効果を得ることができる。
【００７０】
さらに、請求項６の発明によれば、各シャックル取付部の間隔を、サイドフレームに巻装される履帯の幅寸法よりも大きく設定したので、シャックルに連結された吊上げ用のロープが、サイドフレームに巻装された履帯の幅方向の端縁部に接触するのを抑えることができ、このロープの損傷を防止することができる。
また、請求項７の発明によれば、シャックル取付部には、シャックルを取付けるためのボルトが挿通されるボルト挿通穴を設けたので、吊上げ用のロープが連結されたシャックルを、ボルトを用いてシャフト部の両端側に容易に着脱することができる。
【図面の簡単な説明】
【図１】本発明に係るサイドフレーム用吊り治具の実施の形態を、これに取付けられるシャックル等と共に示す分解斜視図である。
【図２】吊り治具のシャフト部、フレーム当接面等を図１中の矢示II−II方向からみた拡大断面図である。
【図３】本実施の形態による吊り治具を用いてサイドフレームを吊上げた状態を示す正面図である。
【図４】図３中の吊り治具、シャックル等を拡大して示す要部拡大図である。
【図５】サイドフレーム、吊り治具、シャックル等を図３中の矢示Ｖ−Ｖ方向から拡大してみた拡大断面図である。
【図６】本発明に係るサイドフレーム用吊り治具の変形例を示す図１と同様の分解斜視図である。
【図７】建設機械の下部走行体を構成するサイドフレームを、従来技術による吊上げ方法によって吊上げた状態を示す正面図である。
【図８】従来技術による吊上げ方法によって吊上げられたサイドフレーム等を、図７中の矢示VIII−VIII方向からみた右側面図である。
【図９】吊上げ用のワイヤロープ、サイドフレーム等を図７中の矢示IX−IX方向から拡大してみた拡大断面図である。
【図１０】他の従来技術による吊上げ方法に用いられる吊り環、ワイヤロープ等を示す図９と同様位置の拡大断面図である。
【符号の説明】
５  サイドフレーム
５Ａ  下板
５Ｂ  側板
５Ｃ  上板
９  履帯
１４  ワイヤロープ
１５  吊荷フック
２１，３１  吊り治具
２２，３２  シャフト部
２２Ａ，３２Ａ  フレーム当接面（傾斜面）
２３，３３  突起部
２４，３４  シャックル取付部
２４Ａ，３４Ａ  ボルト挿通穴
２５，３５  切欠部
２６  シャックル
２６Ａ  ロープ連結部
２６Ｂ  ボス部
２７  ボルト
【図１】
0004510138.tif 000002
【図２】
0004510138.tif 000003
【図３】
0004510138.tif 000004
【図４】
0004510138.tif 000005
【図５】
0004510138.tif 000006
【図６】
0004510138.tif 000007
【図７】
0004510138.tif 000008
【図８】
0004510138.tif 000009
【図９】
0004510138.tif 000010
【図１０】
0004510138.tif 000011